(57)【要約】【課題】光源モジュールを器具本体に容易に密着度を向上させて取り付けることができる照明器具を実現する。【解決手段】発光素子を備えたモジュール基板２２を有する光源部２１と、光源部２１が取り付られる器具本体４１と、光源部２１からの光を反射する第１反射部２３と、を備える照明器具１００である。第１反射部２３は、基板ガイド部２３ｃを有する。モジュール基板２２は、基板ガイド部２３ｃと係合する係合部２２ａを有する。基板ガイド部２３ｃと係合部２２ａとが係合することにより、モジュール基板２２が反射部２３に対して位置決めされる。モジュール基板２２は、中央部が固定部材２９により器具本体４１に固定されるとともに、外周縁部が第１反射部２３の一端により器具本体４１に押圧される。【選択図】図２
2017182934.tif 000002
【特許請求の範囲】
【請求項１】
発光素子を備えたモジュール基板を有する光源部と、
前記光源部が取り付られる器具本体と、
前記光源部からの光を反射する反射部と、を備える照明器具であって、
前記反射部は、基板ガイド部を有し、
前記モジュール基板は、前記基板ガイド部と係合する係合部を有し、
前記基板ガイド部と前記係合部とが係合されることより、前記モジュール基板が前記反射部に対して位置決めされ、
前記モジュール基板は、中央部が固定部材により前記器具本体に固定されるとともに、外周縁部が前記反射部の一端により前記器具本体に押圧される、照明器具。
【請求項２】
前記反射部の他端に当接する弾性部材を配置し、該弾性部材を介して前記反射部を押圧する、請求項１に記載の照明器具。
【請求項３】
前記基板ガイド部は、前記器具本体と嵌合し、
前記基板ガイド部が前記器具本体に嵌合することにより、前記基板ガイド部が前記器具本体に対して固定されるとともに、前記モジュール基板が前記器具本体に対して位置決めされる、請求項１または請求項２に記載の照明器具。
【請求項４】
前記係合部は、前記モジュール基板の外周縁部に少なくとも１つ設けられる、請求項１から請求項３のいずれか一項に記載の照明器具。
【発明の詳細な説明】
【技術分野】
【０００１】
本発明は、照明器具に関する。
【背景技術】
【０００２】
従来から、ＬＥＤチップなどの光源を基板上に設けた光源モジュールを器具本体に取り付けた照明器具が知られている（例えば、特許文献１参照）。
【０００３】
特許文献１の照明器具は、光源モジュールを位置決めする位置決め部を有する器具本体と、採光開口を包囲するように光源モジュールに当接する筒状の反射板と、反射板の鍔部に圧力をかけながら、反射板に当接する固定部材と、反射板の鍔部と固定部材との間に弾性体を具備している。光源モジュールは、器具本体の位置決め部によって位置決めされ、反射板により器具本体と密着して保持される。
【先行技術文献】
【特許文献】
【０００４】
【特許文献１】特開２０１４−１９４８６５号公報
【発明の概要】
【発明が解決しようとする課題】
【０００５】
しかしながら、特許文献１に開示された照明器具においては、光源モジュールがある程度大きくなった場合には、光源モジュールの端部付近のみを押圧するため、光源モジュールの中央部付近と器具本体とが当接しにくい可能性が有る。光源モジュールが器具本体と当接できないと、光源モジュールから発生した熱が器具本体に伝わりにくく、器具本体からその周囲へ放熱させることが困難となる。光源モジュールと器具本体の密着度が不十分であると、光源モジュールから発生する熱を十分に放熱させることができずに、照明器具に必要な放熱性能を確保することができない可能性がある。
また、器具本体の位置決め部を用いて光源モジュールを位置決めするため、光源モジュールが位置決め部内で偏在した場合に反射板と光源の光学的な位置関係が適正でなくなる可能性が有る。
【０００６】
そこで、本発明は、上記課題に鑑みてなされたものであり、光源モジュールを器具本体に容易に密着度を向上させて取り付けることができる照明器具を実現することを目的とする。
【課題を解決するための手段】
【０００７】
本発明の解決しようとする課題は以上の如くであり、次にこの課題を解決するための手段を説明する。
【０００８】
即ち、本願に開示する照明器具は、
発光素子を備えたモジュール基板を有する光源部と、
前記光源部が取り付られる器具本体と、
前記光源部からの光を反射する反射部と、を備える照明器具であって、
前記反射部は、基板ガイド部を有し、
前記モジュール基板は、前記基板ガイド部と係合する係合部を有し、
前記基板ガイド部と前記係合部とが係合されることより、前記モジール基板が記反射部に対して位置決めされ、
前記モジュール基板は、中央部が固定部材により前記器具本体に固定されるとともに、外周縁部が前記反射部の一端により前記器具本体に押圧されるものである。
【０００９】
本願に開示する照明器具において、
前記反射部の他端に当接する弾性部材を配置し、該弾性部材を介して前記反射部を押圧することが好ましい。
【００１０】
本願に開示する照明器具において、
前記基板ガイド部は、前記器具本体と嵌合し、
前記基板ガイド部が前記器具本体に嵌合することにより、前記基板ガイド部が前記器具本体に対して固定されるとともに、前記モジュール基板が前記器具本体に対して位置決めされることが好ましい。
【００１１】
本願に開示する照明器具において、
前記係合部は、前記モジュール基板の外周縁部に少なくとも１つ設けられることが好ましい。
【発明の効果】
【００１２】
本発明によれば、モジュール基板の中央部を固定部材により器具本体に固定し、かつモジュール基板の外周縁部を反射部の一端により器具本体に押圧することで、器具本体に対するモジュール基板の密着度を向上することができる。
【図面の簡単な説明】
【００１３】
【図１】本発明の一実施形態に係る埋込型照明器具を示す平面図。
【図２】図１のＡ−Ａ線における断面図であり、埋込型照明器具を取付穴に取り付けた状態を示す断面図。
【図３】図１のＢ−Ｂ線における断面図。
【図４】図２のＣ−Ｃ線における断面図。
【図５】第１反射部を示す斜視図。
【図６】第２反射部を示す斜視図。
【図７】器具本体を示す斜視図。
【図８】押さえパッキンを示す図であり、（ａ）は平面図、（ｂ）は（ａ）のＤ−Ｄ線における断面図。
【図９】パネルパッキンを示す図であり、（ａ）は平面図、（ｂ）は（ａ）のＥ−Ｅ線における断面図、（ｃ）は（ｂ）の一部拡大断面図。
【発明を実施するための形態】
【００１４】
本発明の実施形態に係る照明器具の一例である埋込型照明器具１００について、図１から図９を用いて説明する。埋込型照明器具１００は、図２に示すように取付面となる天井Ｃに形成された、例えば、丸型の取付穴Ｈに埋め込まれて設置されるダウンライトである。なお、本発明に係る照明器具としては、埋込型照明器具に限らず、天井面等に直付けされる直付け型の照明器具、又は、天井面等から吊り下げて設置される吊り下げ型の照明器具であってもよい。以下の説明では、埋込型照明器具１００の上下方向は、埋込型照明器具１００が天井Ｃに設置された状態における上下方向（図２に示す上下方向）として説明する。上下方向に直交する方向を径方向として説明する。また、本実施形態の説明において、上方から埋込型照明器具１００等を視た状態を平面視とする。上下方向に対して直交方向から埋込型照明器具１００等を視た状態を側面視とする。埋込型照明器具１００等の断面形状を視た状態を断面視とする。
【００１５】
埋込型照明器具１００は、図１、図２に示すように、灯具１１と、電源部５１とを主に備える。
【００１６】
灯具１１は、光源部２１、第１反射部２３、パネル２４、押さえパッキン２６、第２反射部３１、パネルパッキン３８、器具本体４１、及び取付バネ７１を主に有している。
【００１７】
光源部２１は、埋込型照明器具１００の照射面側に向けて光を出射する部分である。光源部２１は、図２に示すように、器具本体４１の光源配置部４４内に設けられており、発光素子としてＬＥＤ素子２５を備えたモジュール基板２２を有している。
【００１８】
モジュール基板２２は、平板状に加工された基板面に、点光源である複数のＬＥＤ素子２５が周方向に配列されたＬＥＤモジュールである。複数のＬＥＤ素子２５は、第１反射部２３の開口部２３ｅに対応するように配置される。モジュール基板２２は、器具本体４１の光源配置部４４の底面４４ａに当接して配置され、モジュール基板２２の中央部がネジ等の固定部材２９により器具本体４１の光源配置部４４の固定部４４ｂに固定される。モジュール基板２２は、モジュール基板２２の外周縁部が第１反射部２３の一端である基板保持部２３ａにより器具本体４１の光源配置部４４（底面４４ａ）に押圧される。モジュール基板２２は、電線２０によって電源部５１と電気的に接続されている。ＬＥＤ素子２５は、点灯時に発熱する。ＬＥＤ素子２５から発する熱は、モジュール基板２２に伝わる。モジュール基板２２に伝わった熱は、モジュール基板２２が光源配置部４４に当接しているため、光源配置部４４に伝わる。
なお、本実施形態では、モジュール基板２２の中央部を固定部材２９により固定しているが、特に限定するものではない。例えば、モジュール基板２２においてＬＥＤ素子２５が配置された発光領域内の任意の部分を固定部材により固定する構成とすることもできる。
【００１９】
モジュール基板２２は、径方向の対向する位置に円弧状に切り欠いた一対の係合部２２ａを有している。係合部２２ａは、基板ガイド部２３ｃと係合してモジュール基板２２を第1反射部２３に対して位置決めさせるものである。
特許文献１に開示されている照明器具の場合、外形が円形のような等幅図形状の光源モジュールを使用した場合、反射板による押圧が不十分な場合、器具本体内で光源モジュールが回動する可能性がある。等幅図形状の光源モジュールが回動して周方向に位置ズレすると、光源モジュールと電源部とを接続している配線に張力がかかる可能性が有る。本実施形態の係合部２２ａは、基板ガイド部２３ｃと係合することによって、モジュール基板２２が固定部材２９を中心として回動しないように固定するものである。
なお、本実施形態では、係合部２２ａを円弧状に切り欠いた形状に形成したが、これに限らず、円弧状以外に切り欠いた形状や円形状の貫通孔等でもよい。
また、本実施形態では、光源としてＬＥＤ素子（表面実装タイプのＬＥＤ素子）を用いたが、光源の種類はＬＥＤ素子に限定されず、例えばＣＯＢ型発光モジュールや有機ＥＬ素子（ＯＬＥＤ）などであっても実現可能である。
また、モジュール基板２２は、熱伝導性シート（図示せず）や放熱グリスを介して光源配置部４４に取り付けてもよく、これにより、より高い放熱性を得ることができる。
また、本実施形態では、一対の基板ガイド部２３ｃに対応して一対の係合部２２ａを有する構成としているが、特に限定するものではない。例えば、係合部２２ａは、モジュール基板２２の外周縁部に少なくとも１つ設けて、これに対応する基板ガイド部２３ｃと係合する構成とすることで、上述したようにモジュール基板２２を第1反射部２３に対して位置決めし、固定部材２９を中心として回動しないように固定することができる。
【００２０】
第１反射部２３は、パネル２４とモジュール基板２２とを所定間隔で離間しつつ、複数のＬＥＤ素子２５からの光を反射する笠状部材である。第１反射部２３は、樹脂素材等で形成される。第１反射部２３は、基板保持部２３ａ、周縁部２７、パネル保持部２３ｂ及び基板ガイド部２３ｃを主に有している。基板保持部２３ａは、モジュール基板２２の外周縁部を保持するためのものであり、第１反射部２３の上端に設けられた平面視円環状で断面視略Ｌ字状の段部である。基板保持部２３ａは、モジュール基板２２の外周縁部に当接してモジュール基板２２の外周縁部を保持する。周縁部２７は、基板保持部２３ａから下方に延設される笠状部分である。パネル保持部２３ｂは、第１反射部２３の下端に設けられた径方向外側に延出される鍔状の部分である。パネル保持部２３ｂは、パネル２４のパネルフランジ部２８の上面を押さえパッキン２６を介して保持する部分である。基板ガイド部２３ｃは、周縁部２７の外周面における径方向の両端近傍に上方に突出する一対の棒状部分である（図５参照）。基板ガイド部２３ｃの先端（上端）には、第１反射部２３の径方向内側に向けて凸状の爪部２３ｄが形成されている。爪部２３ｄは、光源配置部４４に設けられた嵌合凹部４４ｃに挿通されて嵌合するともに、嵌合凹部４４ｃ内の図示しない爪係止部に爪部２３ｄが係止される。これにより、第１反射部２３は、器具本体４１に対して位置決めされるとともに、器具本体４１の光源配置部４４内に基板ガイド部２３ｃが嵌合することによって固定される。また、これによりモジュール基板２２が器具本体４１に対して位置決めされる。第１反射部２３の上端は、中央部において円形状の開口部２３ｅが形成され、該開口部２３ｅから下方に延設される周壁部２７が下方に行くに従って広がる斜面状に形成されている。周壁部２７の内周面は、ＬＥＤ素子２５から発光される光を反射する反射面となっている。第１反射部２３は、ＬＥＤ素子２５から発光された光のうち、側方に向かう光を反射面で反射させ、前方に向かうように配光制御する。すなわち、反射面が形成された第１反射部２３により、ＬＥＤ素子２５の前方以外の方向に出た光を反射させて、ＬＥＤ素子２５から発光される光が効率よく集光される。
なお、本実施形態の第１反射部２３としては、周壁部２７が下方に行くに従って広がる斜面状に形成したものを説明したが、これに限定されない。例えば、反射部の形状として、周壁部が下方に行くに従って広がる放物面状に形成されるものであってもよい。
【００２１】
パネル２４は、第２反射部３１の上方側の開口部３２を閉塞し、器具本体４１の光源配置部４４内に配置されたＬＥＤ素子２５からの光を透過及び拡散させて、照射面を形成する部材である。パネル２４は、透光性を有する樹脂素材やガラス素材等で形成される。本実施形態においては、パネル２４は、アクリル樹脂を用いて形成されている。パネル２４は、図２に示すように、平面視形状が円形で下方に突出するドーム状に形成されている。パネル２４は、下部の周縁部に径方向外側に突出する平面視円環状のパネルフランジ部２８を有する。パネル２４は、第２反射部３１の上端のパネル保持部３４に位置決めされるとともにパネルフランジ部２８の上面に押さえパッキン２６が配置された状態で、第２反射部３１の上端のパネル保持部３４と第１反射部２３の下端のパネル保持部２３ｂとで挟持され、ＬＥＤ素子２５に対向する位置に保持される。
なお、パネル２４の形状は、円形形状に限らず、四角形等の多角形でもよい。また、下方に突出するドーム状に限らず、上方に突出する形状や平面状等でもよい。
【００２２】
押さえパッキン２６は、図８に示すように、平面視において円環状の平坦な弾性部材である。押さえパッキン２６は、平面視においてパネルフランジ部２８の上端面と略同じ大きさ及び略同じ形状である。押さえパッキン２６は、第１反射部２３の下端のパネル保持部２３ｂと第２反射部３１の上端のパネル保持部３４との間に挟持される。すなわち、押さえパッキン２６は、第１反射部２３のパネル保持部２３ｂとパネル２４のパネルフランジ部２８との間に挿入されている。
【００２３】
第２反射部３１は、パネル２４を中心にして下方に向かって椀状に開いた形状の光源用リフレクターである。第２反射部３１は、図２、図６に示すように、開口部３２、断面視略ハ字状の周壁部３３、パネル保持部３４、及びフランジ部３５有している。第２反射部３１は、中央部において円形状の開口部３２が形成され、該開口部３２から延設される周壁部３３が下方に行くに従って広がる放物面状に形成される。周壁部３３の内周面は、ＬＥＤ素子２５から発光される光を反射する反射面となっている。第２反射部３１は、樹脂素材や金属素材等を用いて形成されている。本実施形態においては、アルミ等の金属素材を用いて第２反射部３１を形成した。第２反射部３１は、その断面形状において上面側及び下面側が開口形成されている。パネル保持部３４は、周壁部３３の上端に設けられ、パネル２４のパネルフランジ部２８を保持する断面視Ｌ字状の部分である。パネル保持部３４には、パネルパッキン３８を位置決めして配置するための平面視環状で断面視凹状のパッキン配置部３６が形成されている。パネル２４は、パネルフランジ部２８がパネル保持部３４に係止されることで第２反射部３１の上端に位置決めされる。
また、第２反射部３１は、パネル保持部３４の外周から径方向外側に突出して形成される一対のネジ取付部３９を有している。ネジ取付部３９は、器具本体４１のバネ取付部４８と対応した位置に配置されており、バネ取付部４８とネジ取付部３９とを重ね合わせてネジ５７により取付バネ７１を取り付けることで、器具本体４１に第２反射部３１を組み付けることができる。
なお、第２反射部３１の平面視形状は、円形形状に限らず、四角形等の多角形でもよく、種々の取付穴の開口形状に取り付け可能な形状であってもよい。
【００２４】
フランジ部３５は、周壁部３３の下部の外周縁から径方向外側に突出して環状に形成される鍔部である。フランジ部３５は、埋込型照明器具１００を天井Ｃの取付穴Ｈに設置した状態で取付穴Ｈの周縁部を覆う部分である。フランジ部３５の上面には、第２反射部３１を取付穴Ｈに取り付けた際に、第２反射部３１と取付穴Ｈの周縁部との隙間を塞ぐための平面視環状の枠パッキン３７が設けられている。フランジ部３５は、天井Ｃの下面側に枠パッキン３７を介して取付穴Ｈの周縁部を覆う。
【００２５】
パネルパッキン３８は、図９に示すように、例えばゴム材料等の弾性部材からなるＯリングである。パネルパッキン３８の上部には、パネルパッキン３８の径方向内側部分から斜め外側に向けて延出されるヒレ状のヒレ部３８ａを有している。パネルパッキン３８は、ヒレ部３８ａを上向きにした状態で第２反射部３１の凹状のパッキン配置部３６に配置される。パネル保持部３４にパネル２４が配置されると、パネルパッキン３８のヒレ部３８ａは横倒し状態となる。これにより、パネルパッキン３８は、パネル２４のパネルフランジ部２８と第２反射部３１のパネル保持部３４との間が封止されて、気密性が確保される。これにより、埃、虫等や水分が灯具１１の内部に進入することを防ぐことができる。
なお、本実施形態では、押さえパッキン２６とパネルパッキン３８を別体で設けたが、これらを一体として形成してもよい。
【００２６】
器具本体４１は、放熱効率を向上させるために熱伝導率の高いアルミニウム等の金属素材で形成されている。すなわち、器具本体４１は、ヒートシンクとしての機能を有する。器具本体４１は、基部４２と、放熱フィン４３と、光源配置部４４と、電源部５１を取り付ける電源取付部４５と、取付バネ７１を取り付けるバネ取付部４８を有している。
【００２７】
基部４２は、有底略円筒状である部分である。基部４２は、上部に円板形状の上板部４２ａを有している。上板部４２ａの上部には、平面視において互いが略平行をなすとともに、上方に立設する複数の放熱フィン４３・４３・・・が形成されている。図２に示すように、基部４２には、凹状で光源部２１を配置するための光源配置部４４が形成されている。
【００２８】
放熱フィン４３は、基部４２上から複数突出して形成される板状の放熱部材ある。光源部２１から発した熱は、基部４２（光源配置部４４）を介して器具本体４１全体に伝わる。器具本体４１に伝わった熱は、空気中へ放散される。
【００２９】
電源取付部４５は、放熱フィン４３の側方部に形成されている。電源取付部４５は、ネジ部材が螺合可能であるネジ孔を有している。電源取付部４５は、電源部５１がネジ５８により取り付けられて、電源部５１を支持するものである。電源取付部４５の下側には、電線２０を通すための外側面が開放された空間４６が設けられている。空間４６の外側面には、カバー部材４７が嵌め込まれている。空間４６は、モジュール基板２２に電気的に接続される電線２０を挿通する開口部４６ａを有している（図４参照）。
【００３０】
バネ取付部４８は、取付バネ７１を器具本体４１に取り付ける部分である。バネ取付部４８は、器具本体４１の下端部から径方向外側に突出して形成されており、器具本体４１の基部４２の周縁に略均等配置されるように複数個（本実施形態では、２個）設けられている。バネ取付部４８は、取付バネ７１の一端を当接してネジ５７で取り付けるためのものである。
【００３１】
取付バネ７１は、埋込型照明器具１００を天井Ｃの取付穴Ｈに埋め込んで取り付けるための固定手段である。取付バネ７１は、基部４２の周縁に略均等配置されたバネ取付部４８に配設される。取付バネ７１は、ステンレス素材等の板状金属部材の中途部を複数箇所屈曲及び湾曲させて形成された板バネである。取付バネ７１は、略Ｖ字状に形成された板バネであり、基端部が器具本体４１のバネ取付部４８に当接してネジ５７により固定されるとともに、自由端部が灯具１１側方に延出されるものである。取付バネ７１を屈曲した状態で埋込型照明器具１００を天井Ｃの取付穴Ｈに設置した場合、取付バネ７１は、取付バネ７１が広がろうとする弾性力によって取付穴Ｈの周縁を押圧することでフランジ部３５との間で天井Ｃを挟持し、埋込型照明器具１００を天井Ｃに固定する。
なお、取付バネの形状、取付位置、本数等については、本実施形態のものに限定されない。
【００３２】
電源部５１は、光源部２１が有するＬＥＤ素子２５に給電を行って、ＬＥＤ素子２５を点灯させるための電源装置である。電源部５１は、器具本体４１の電源取付部４５にネジ５８により取り付けられている。電源部５１は、箱状の電源ケース５２内に直方形状に加工されたプリント配線基板上に複数の電子部品が実装された電源回路が収容されたものである。複数の電子部品は、動作時に発熱する部品が含まれている。電子部品から発する熱は、電源ケース５２に伝わる。電源部５１は、外部商用電源から供給される交流電流を所定の直流電流に変換し、変換後の電流をモジュール基板２２に実装された複数のＬＥＤ素子２５に供給するためのものである。電源部５１は、配線（図示せず）を介して端子台５３に電気的に接続されている。端子台５３は、電源部５１（電源ケース５２）の一側面に配置されている。埋込型照明器具１００を天井Ｃに取り付ける際、配線（図示せず）により端子台５３と天井裏側の外部商用電源（図示せず）とを接続することで、電源部５１は外部商用電源と電気的に接続される。電源部５１とモジュール基板２２は電線２０によって電気的に接続されている。
【００３３】
以上説明した本実施形態の埋込型照明器具１００によれば、モジュール基板２２の中央部が固定部材２９により器具本体４１の光源配置部４４（底面４４ａ）の固定部４４ｂに固定されるとともにモジュール基板２２の外周縁部が第１反射部２３の一端である基板保持部２３ａにより器具本体４１の光源配置部４４（底面４４ａ）に押圧されている。これにより、モジュール基板２２において、その中央部付近が固定部材２９によって押圧されるとともに、モジュール基板２２の外周縁部は第1反射部２３の基板保持部２３ａによって押圧される。そのため、モジュール基板２２の器具本体４１（底面４４ａ）への密着度を向上することができる。また、モジュール基板２２を器具本体４１に取り付けるために一つの固定部材２９しか用いないため、モジュール基板２２を器具本体４１に容易に取り付けることができる。また、基板保持部２３ａによってモジュール基板２２を押圧せずに、モジュール基板２２の複数箇所を複数の固定部材によって器具本体４１に固定するよりも固定部材を減らすことができる。そのため、部品点数を減らすとともに組立工数を減らすことができる。
【００３４】
本実施形態の埋込型照明器具１００によれば、第１反射部２３の他端であるパネル保持部２３ｂに当接する弾性部材である押さえパッキン２６を配置し、該押さえパッキン２６を介して第１反射部２３を押圧している。すなわち、押さえパッキン２６を第１反射部２３とパネル２４の間に挿入している。これにより、器具本体４１に第２反射部３１を組み付けると、図２に示すように、パネル保持部３４は、パネル２４、押さえパッキン２６及び第１反射部２３を介して、モジュール基板２２を押圧することになる。この場合、押さえパッキン２６の弾性力により第１反射部２３の外周縁部の周囲に押圧する力が均等に分散し、モジュール基板２２の外周縁部を均一に押圧することができる。
【００３５】
本実施形態の埋込型照明器具１００によれば、モジュール基板２２は、基板ガイド部２３ｃに係合部２２ａが係合されることより第1反射部２３に対して位置決めされる。これにより、モジュール基板２２と第1反射部２３との位置ズレを防止し、モジュール基板２２と第1反射部２３との光学的な位置関係を適正に保ちやすい。
また、本実施形態の埋込型照明器具１００によれば、基板ガイド部２３ｃが器具本体４１と嵌合して固定される。基板ガイド部２３ｃが器具本体４１の嵌合凹部４４ｃに嵌合することにより、反射板２３が器具本体４１対し位置決めされるとともに固定される。モジュール基板２２は基板ガイド部２３ｃによって位置決めされているため、第１反射部２３が器具本体４１に固定されることによって、モジュール基板２２は器具本体４１に対して位置決めされる。これにより、モジュール基板２２を位置ズレすることなく基板保持部２３ａによっての所望の位置で押圧しながら器具本体４１に固定することができる。
また、本実施形態のように円形状のモジュール基板２２の中心部を一つの固定部材２９で固定した場合でも、基板ガイド部２３ｃがモジュール基板２２の係合部２２ａと係合しているため、モジュール基板２２が固定部材２９を中心として回動することを防止できる。
【符号の説明】
【００３６】
１１  灯具
２１  光源部
２２  モジュール基板
２２ａ  係合部
２３  第１反射部
２３ｃ  基板ガイド部
２６  押さえパッキン（弾性部材）
２９  固定部材
４１  器具本体
１００  埋込型照明器具
Ｃ  天井
Ｈ  取付穴
【図１】
2017182934.tif 000003
【図２】
2017182934.tif 000004
【図３】
2017182934.tif 000005
【図４】
2017182934.tif 000006
【図５】
2017182934.tif 000007
【図６】
2017182934.tif 000008
【図７】
2017182934.tif 000009
【図８】
2017182934.tif 000010
【図９】
2017182934.tif 000011